(57)【要約】【課題】自然の岩壁と同じ感触を持つフリークライミング用人工壁のホールド等を提供する。【解決手段】フリークライミング用人工壁のホールド１は、玉石を切断して作製される。玉石の切断面Ｐ１が、人工壁に当たる当たり面３となる。ホールド１には、人工壁に取り付ける取付具の係合する貫通孔３が加工されている。このようにホールドを自然石石材で作製することにより、人工壁におけるフリークライミングであっても、自然壁と同じ感触を得ることができる。【選択図】　　　図１
2004129972.tif 000002
【特許請求の範囲】
【請求項１】
フリークライミング用の人工壁に取り付けられ、クライマーの手掛かり又は足掛かりとなるホールドであって、
花崗岩、安山岩、砂岩等の自然石石材からなり、
前記人工壁に当たる当たり面、及び、該壁に取り付ける取付具の係合する取付部が加工されていることを特徴とするフリークライミング用人工壁のホールド。
【請求項２】
前記自然石石材が玉石を切断したものであり、
前記当たり面が前記石材の切断面であることを特徴とする請求項１記載のフリークライミング用人工壁のホールド。
【請求項３】
フリークライミング用の人工壁に取り付けられ、クライマーの手掛かり又は足掛かりとなる複数のホールドを有するホールド板であって、
花崗岩、安山岩、砂岩等の自然石石材からなり、
前記人工壁に当たる当たり面、及び、該壁に取り付ける取付具の係合する取付部が加工されていることを特徴とするフリークライミング用人工壁のホールド板。
【請求項４】
壁面に複数のホールド及び／又はホールド板が取り付けられたフリークライミング用の人工壁であって、
前記ホールドの一部又は全てが請求項１又は２に記載のホールドであるか、又は、前記ホールド板の一部又は全てが請求項３に記載のホールド板であることを特徴とするフリークライミング用人工壁。
【請求項５】
壁面に複数のホールド及び／又はホールド板が取り付けられたフリークライミング用の人工壁であって、
該人工壁の壁面が、花崗岩、安山岩、砂岩等の自然石石材からなり、
該人工壁を所望の角度に傾斜させる角度調整手段を備え、
前記ホールドの一部又は全てが請求項１又は２に記載のホールドであるか、又は、前記ホールド板の一部又は全てが請求項３に記載のホールド板であることを特徴とするフリークライミング用人工壁。
【発明の詳細な説明】
【０００１】
【発明の属する技術分野】
本発明は、フリークライミング用の人工壁に取り付けられるホールド及びホールド板、それらを有するフリークライミング用人工壁に関する。特には、自然の岩壁におけるフリークライミングの雰囲気を楽しめるような改良を加えた人工壁用ホールド等に関する。
【０００２】
【従来の技術】
フリークライミングは、岩壁の凸部や凹部を手掛かり又は足掛かりとして、自己の握力や脚力で壁面を登るスポーツである。近年では、都市の屋外や屋内に人工のフリークライミング用の壁を設ける場合も多くなっている。フリークライミング用人工壁には、複数のホールドと呼ばれる取っ手がランダムに配置して固定されている。
【０００３】
ホールドは一般に樹脂製で、様々な形状、大きさ、色のものが販売されている。そして、クライミングの難易度に合わせて、ホールド全体の厚さを変えたり、ホールドに形成された凹凸や穴の深さを変えて手や足の掛かりのバリエーションを持たせている。また、貝殻に似た形状としたり、特徴的な着色を施して、クライマーの趣向を増すように外観が考慮されている。
【０００４】
このようなホールドは上述のように樹脂で作製されているものが多い。そして、鋭い角や出っ張りがないような形状に加工して指を痛めないようにしている。また、様々な自然の壁面に近い感触を持つように表面をざらざらに加工している。
【０００５】
【発明が解決しようとする課題】
このような樹脂製のホールドは、もともとは人工の樹脂であり、自然の岩壁の感触とは異なる。また、長年使用すると、表面のざらざらが滑らかになって滑りやすくなり、指や足が掛かりにくくなるため、交換の必要があった。
【０００６】
本発明は上記の問題点に鑑みてなされたものであって、自然の岩壁と同じ感触を持つフリークライミング用人工壁のホールド等を提供することを目的とする。
【０００７】
【課題を解決するための手段】
上記課題を解決するため、本発明のフリークライミング用人工壁のホールドは、　フリークライミング用の人工壁に取り付けられ、クライマーの手掛かり又は足掛かりとなるホールドであって、　花崗岩、安山岩、砂岩等の自然石石材からなり、　前記人工壁に当たる当たり面、及び、該壁に取り付ける取付具の係合する取付部が加工されていることを特徴とする。
ホールドを自然石石材で作製することにより、人工壁におけるフリークライミングであっても、自然壁と同じ感触を得ることができる。自然石は長年使用して磨耗により磨り減っても、表面の自然のざらざら感は維持され、滑りを防止できる。
【０００８】
本発明においては、　前記自然石石材が建築用壁貼材を切断したものとすれば、標準的な厚さ（一例で２、４、６ｃｍ）のものが市場で容易に入手できるため、製作が楽でコストも安い。
【０００９】
本発明においては、　前記自然石石材として玉石を切断したものを用い、　前記当たり面を前記石材の切断面とすることも好ましい。玉石は、川原等で容易に採取できる。そして、比較的滑らかな曲面で囲まれた形状をしており、鋭い角や突起がない。また、様々な形状、大きさのものがあり、変化に富んだ形状のホールドを作製できる。
【００１０】
本発明のホールド板は、　フリークライミング用の人工壁に取り付けられ、クライマーの手掛かり又は足掛かりとなる複数のホールドを有するホールド板であって、　花崗岩、安山岩、砂岩等の自然石石材からなり、　前記人工壁に当たる当たり面、及び、該壁に取り付ける取付具の係合する取付部が加工されていることを特徴とする。
手や足が直に当たる部分だけでなく、その周囲も自然石石材で作製することにより、より自然壁に近い感触を与えることができる。
【００１１】
本発明のフリークライミング用人工壁は、　壁面に複数のホールド及び／又はホールド板が取り付けられたフリークライミング用の人工壁であって、　前記ホールドの一部又は全てが上記に記載のホールドであるか、又は、前記ホールド板の一部又は全てが上記に記載のホールド板であることを特徴とする。
実際には、樹脂製の従来のホールドやホールド板と組み合わせて人工壁を構成する。これにより多様なクライミング感覚を楽しむことができて好ましい。
【００１２】
本発明の他のフリークライミング用人工壁は、　壁面に複数のホールド及び／又はホールド板が取り付けられたフリークライミング用の人工壁であって、　該人工壁の壁面が、花崗岩、安山岩、砂岩等の自然石石材からなり、　該人工壁を所望の角度に傾斜させる角度調整手段を備え、　前記ホールドの一部又は全てが上記に記載のホールドであるか、又は、前記ホールド板の一部又は全てが上記に記載のホールド板であることを特徴とする。
【００１３】
壁面及びホールドを自然石石材で作製することにより、クライマーが壁に取り付いた際に指や足が触れる部分が自然石であるため、自然の岩場にきわめて近い感覚を与えることができる。
【００１４】
【発明の実施の形態】
以下、図面を参照しつつ説明する。
図１は、本発明の第１の実施の形態に係るフリークライミング用人工壁のホールドの構造を説明する図であり、図１（Ａ）はホールドの正面図、図１（Ｂ）、（Ｃ）は側面図である。
図２は、図１のホールドの加工前の玉石の斜視図である。
このホールド１は、図２の玉石１０から作製される。玉石１０を斜めに通る線Ａ−Ａで切断すると、二つの石片１０´が得られる。この石片１０´を後述のように加工してホールド１を作製する。このような玉石１０は川原等に自然に転がっているものであり、適宜な形状や大きさのものを選択して採取すればよい。玉石１０は、図２に示すように、サツマ芋状の略楕円体であり、表面が滑らかな湾曲面であり、適度な凹凸を有する。
【００１５】
ホールド１は、玉石１０を切断した石片１０´から作製される。石片１０´の切断面Ｐ１は、人工壁に当たる当たり面３となる。当たり面３は平面に加工されている。人工壁のホールドが取り付けられる取付部は平面となっており、この取付面にホールド１の当たり面３が面で接触する。また、人工壁の取付面には、取付具（ボルト）が螺合する貫通孔が開けられている。ホールド１には、当たり面３に対して直角方向（図の矢印で示す）に延びる貫通孔（取付部）５が開けられている。貫通孔５の最上部は、ボルトのヘッドが収まるように径大ザグリ部７となっている。この貫通孔５にボルトを係合させ、ボルトを人工壁の貫通孔に螺合させて、ホールド１を人工壁に取り付ける。
【００１６】
なお、ホールド１に偏った力がかかったり、ボルトの締め付け力が緩いと、ホールド１がボルトを中心にして回転することがある。これに対して、ホールド１に、回り止め防止用のボルトを付けてもよい。または、ホールド１の当たり面３に樹脂を塗布し、その面に砂を吹き掛けてざらざらの面として摩擦による回り止めとしてもよい。
【００１７】
このホールドの作製工程について説明する。
まず、図２に示す玉石１０を、切断面Ａ−Ａに沿ってダイヤモンドディスクカッター等で切断して２つの石片１０´を形成する。このときの切断面Ｐ１は平坦面であり、前述のように人工壁のホールド取付面に当たる当たり面３となる。そして、石片１０´の適宜な位置にダイヤモンドドリル等で貫通孔５を開ける。
最後に、人工壁の適当な位置のホールド取付面にホールド１を配置して、ボルトで固定する。このとき、ホールド１の向きは、難易度に合わせて最も好ましい向きとなるように向ける。例えば、図１（Ｂ）に示すように、比較的出っ張った部分Ａを下に向ければ、掛かりとなる部分は滑らかに下方に傾斜した面となる。この場合、指や足を掛けにくくなり、手でつかみにくいホールドとなる。また、図１（Ｃ）に示すように、図１（Ｂ）を上下さかさまにして出っ張った部分Ａを上に向ければ、掛かりとなる部分は、比較的急激に上方に傾斜した面となる、この場合、指や足が掛かりやすくなり、手でつかみやすいホールドとなる。
【００１８】
フリークライミング用人工壁の人工壁自身が合板等で作製されている場合でも、ホールドは自然の石材で作製することができる。このため、指先や足先が触れる部分は自然の石であり、自然の石や岩の感覚を得ることができる。なお、ホールド用の自然石としては、他に、花崗岩、安山岩、砂岩等を使用できる。
また、玉石は表面が比較的滑らかで手に優しいので、飛びついて手を掛けるような動作をする箇所にも取り付けることができる。また、樹脂に比べて硬いので、最も手や足が掛かる部分もつるつるになることはない。
【００１９】
図３は、本発明の第２の実施の形態に係るフリークライミング用人工壁のホールドの構造を説明する斜視図である。
この例のホールド２１は、花崗岩製の建築用壁貼材から作製されており、ほぼ直方角材状である。ホールド２１の一面は人工壁へ当たる当たり面２３である。そして、当たり面２３に対して直角方向（図の矢印で示す）に延びるボルトの貫通孔２５が開けられている。貫通孔２５の上部はボルトのヘッドが収まるザグリ部２７となっている。
【００２０】
花崗岩製の建築用壁貼材の表面はある程度でこぼこしており、裏面は平面加工されている。このため、ホールド２１の表面２９はでこぼこの形状であり、自然壁面に近い形状となる。また、ホールド２１の裏面２３は平面であり、そのまま当たり面２３として使用できる。建築用壁貼材の大きさは一例で６ｃｍ×９ｃｍ、厚さは４ｃｍである。厚さは、他に２ｃｍ、６ｃｍ等がある。このような壁貼材を適宜な大きさと形状の石片に切断する。なお、表面に特に鋭い角やばりがある場合は、この角等を落とす加工を行ってもよい。特に、直方体状に切断した場合は、表面がざらざらしていることと、角が角張っていることにより、樹脂のホールドに比べてはるかに強い摩擦感を得ることができる。
【００２１】
図４は、本発明の第一の実施の形態に係るフリークライミング用人工壁の構造を模式的に説明する図であり、図４（Ａ）は全体の斜視図、図４（Ｂ）は全体の側面図である。
このフリークライミング用人工壁３０は、２つの壁３１を備える。各壁３１は、合板で作製されている。壁３１の寸法は、一例で高さが２．５〜３ｍ、幅が２〜３ｍである。各壁は、表面（壁貼材側の面、クライマーが登り降りする面）が相反する方向を向くように配置されている。各壁３１の表面には、複数のホールド３３及びホールド板３５が固定されている。ホールド３５としては、図１や図３に示すホールド１、２１を使用できる。
【００２２】
ホールド板３５は、花崗岩、安山岩、砂岩等の自然石石材で作製された板であり、いろいろな形状に加工されている。寸法は、例えば１×１ｍ程度とできる。表面にはホールドとして使用できる複数の凹凸３５ａが設けられている。このような凹凸は自然に発生したものでも、加工したものでもよい。ホールド板３５の裏面は壁３１に当たる当たり面となる。同ホールド板３５には、当たり面（裏面）に対して直角方向に延びる貫通孔（取付部、図示されず）が開けられている。貫通孔の最上部は、ボルトのヘッドが収まるように径大ザグリ部となっている。この貫通孔にボルトを係合させ、ボルトを壁３１の貫通孔に螺合させて、ホールド板３５を壁３１に取り付ける。なお、ホールド板３５は面積が広く、重いため、貫通孔は複数個設けられている。
なお、自然石石材からこのホールド板３５を加工する際に発生した破材をホールドとして使用することもできる。
【００２３】
なお、実際には、従来の樹脂製のホールドやホールド板と組み合わせて人工壁を構成する。この際、樹脂製のホールドやホールド板は、全体の２／３〜３／４程度の割合とする場合もあり得る。このように、自然石石材製のホールドやホールド板と、樹脂製のホールドやホールド板とを適度な比率で組み合わせて人工壁を構成することにより、多様なクライミング感覚を楽しむことができる。
【００２４】
各壁３１は、方形のベース３９上に取り付けられている。各壁３１の下端には、補強用ブラケット３７が設けられており、このブラケット３７は、ベース３９上のブラケット４１に回動可能に固定されている。各壁３１の裏面とベース３９とは、２つのシリンダ４３−１、４３−２で連結されている。このとき、各シリンダ４３は、側面からみて交差するように配置されており、各壁が倒れることを防いでいる。シリンダ４３によって、各壁３１は一例で角度が８０°から１３０°程度まで傾斜可能である。
また、ベース３９は、各壁３１の前側（ホールド等が設けられた面側）に突き出ないような、できるだけ短い寸法とする。このような構成とすることによって、各壁の前側の面上及び空間にクライミングの邪魔になるような障害物がなくなる。
【００２５】
図５は、本発明の第二の実施の形態に係るフリークライミング用人工壁の構造を模式的に説明する図であり、図５（Ａ）は全体の斜視図、図５（Ｂ）、（Ｃ）は同人工壁の壁の側面図である。
この例の人工壁５０も、２つの壁５１を備える。各壁５１は、ベース板５３上に複数枚の建築用壁貼材５５を縦横に並べて配置して固定したものである。建築用壁貼材５５は、花崗岩、安山岩、砂岩等の自然石石材で作製されている。壁５１の寸法は、一例で高さが２．５〜３ｍ、幅が２〜３ｍである。各壁は、表面（壁貼材側の面、クライマーが登り降りする面）が相反する方向を向くように配置されている。
なお、図５において、図４と同じ作用・構成を有する部品・部材は図４と同一の符号を付し、説明を省略する。
【００２６】
図５（Ｂ）に示すように、建築用壁貼材５５の表面には、ホールドとなる凹凸５５ａが設けられている。この凹凸５５ａはもとから存在するものでもよく、後から加工してもよい。また、図５（Ｃ）に示すように、同表面に単体のホールド５７を取り付けてもよい。このホールド５７としては、図１や図３に示すホールド１、２１を使用できる。
【００２７】
このようなフリークライミング用人工壁は、ホールドも壁自体も自然石で作製されている。このため、クライマーが壁に取り付いた際にも、指や足が当たる部分が自然石であるため、自然の石や岩の感覚を得ることができる。
なお、安全ロープを使用しないで練習するような用途（ボルダリング）では、壁の高さは３ｍ以下が通常である。そこで、壁を横方向に延ばしたい場合には、壁を横方向に並べて横方向に延ばすこともできる。
【００２８】
【発明の効果】
以上の説明から明らかなように、本発明によれば、ホールドや壁面を自然石で作製するため、自然の石や岩の感覚を得ることのできるフリークライミング用人工壁を提供できる。
【図面の簡単な説明】
【図１】本発明の第１の実施の形態に係るフリークライミング用人工壁のホールドの構造を説明する図であり、図１（Ａ）はホールドの正面図、図１（Ｂ）、（Ｃ）は側面図である。
【図２】図１のホールドの加工前の玉石の斜視図である。
【図３】本発明の第２の実施の形態に係るフリークライミング用人工壁のホールドの構造を説明する斜視図である。
【図４】本発明の第一の実施の形態に係るフリークライミング用人工壁の構造を模式的に説明する図であり、図４（Ａ）は全体の斜視図、図４（Ｂ）は全体の側面図である。
【図５】本発明の第二の実施の形態に係るフリークライミング用人工壁の構造を模式的に説明する図であり、図５（Ａ）は全体の斜視図、図５（Ｂ）、（Ｃ）は同人工壁の壁の側面図である。
【符号の説明】
１、２１　ホールド　　　　　　　　　３、２３　当たり面
５、２５　貫通孔（取付部）　　　　　７、２７　径大ザグリ部
１０　玉石　　　　　　　　　　　　　２９　表面
３０、５０　フリークライミング用人工壁
３１、５１　壁　　　　　　　　　　　３５　ホールド板
３３、５７　ホールド　　　　　　　　３７　補強用ブラケット
３９　ベース　　　　　　　　　　　　４１　ブラケット
４３　シリンダ　　　　　　　　　　　５５　建築用壁貼材
【図１】
2004129972.tif 000003
【図２】
2004129972.tif 000004
【図３】
2004129972.tif 000005
【図４】
2004129972.tif 000006
【図５】
2004129972.tif 000007